(57)【特許請求の範囲】
【請求項１】
ネットワークに接続可能な利用者端末へ、色指定の為の画面を表示させる色指定サーバであって、
調色可能な色を求めるために必要となる情報を格納する調色可能色情報データベースと、
前記調色可能な色を求めるために必要となる条件情報の指定を促す条件指定画面を前記利用者端末へ送信する条件指定処理手段と、
前記条件指定画面にて指定された条件情報を基に、該条件情報で定められる条件の範囲で調色可能な色について、前記調色可能色情報データベースを参照することにより求め、その結果を前記利用者端末へ送信する色情報送信手段と、
前記調色可能な色の中より指定された色に関する色情報を受信する色情報受信手段と、
受信した該色情報を基に樹脂、染顔料の配合比率を計算する配合計算手段と、
前記配合計算手段が出力する配合結果情報を前記利用者端末へ送信する配合結果送信手段と、
前記色指定サーバの利用者を特定する利用者ＩＤに関連付けて、該利用者における着色対象となる物品に関する用途情報を含む利用者情報を格納する利用者情報データベースと
を具備し、
前記利用者が特定できた場合、前記条件指定処理手段は、前記利用者情報データベースより参照する該利用者の用途情報を基に樹脂、染顔料の種類を限定した前記条件指定画面を前記利用者端末へ送信することを特徴とする色指定サーバ。
【請求項２】
前記調色可能な色を求めるために必要となる情報は、少なくとも樹脂の種類と、染顔料の種類と、それらを混合する割合であることを特徴とする請求項１に記載の色指定サーバ。
【請求項３】
前記色情報送信手段は、前記調色可能な色を基に調色可能な色の領域である色域ゾーンを色空間内に提示し、該色域ゾーン内において色指定可能な色指定画面を表示するための情報を、前記利用者端末へ送信する
ことを特徴とする請求項１または請求項２に記載の色指定サーバ。
【請求項４】
前記調色可能色情報データベースは、樹脂と染顔料の組み合わせによって定めた複数の基本色についての基本色情報を更に格納し、
前記色情報送信手段は、前記条件情報で定められる条件の範囲で前記基本色により調色可能な色の領域である色域ゾーンについて、前記調色可能色情報データベースを参照することにより求め、その結果を前記利用者端末へ送信する
ことを特徴とする請求項１から請求項３のいずれかに記載の色指定サーバ。
【請求項５】
前記調色可能色情報データベースは、色見本の色についての色見本情報を更に格納し、
前記色情報送信手段は、前記条件情報で定められる条件の範囲で調色可能な色見本について、前記調色可能色情報データベースを参照することにより求め、その結果を前記利用者端末へ送信する
ことを特徴とする請求項１から請求項４のいずれかに記載の色指定サーバ。
【請求項６】
着色対象となる物品に関する用途情報を前記利用者端末より受信する用途情報受信手段を更に具備し、
前記条件指定処理手段は、前記用途情報により樹脂、染顔料の種類を限定した前記条件指定画面を前記利用者端末へ送信する
ことを特徴とする請求項１から請求項５のいずれかに記載の色指定サーバ。
【請求項７】
前記条件指定処理手段は、前記利用者情報データベースより参照する該利用者の用途の範囲で、用途を指定する手段を更に含む前記条件指定画面を前記利用者端末へ送信する
ことを特徴とする請求項１から請求項６のいずれかに記載の色指定サーバ。
【請求項８】
前記色指定画面において、実際の用途に即した仮想物を２次元もしくは３次元で表示し、前記調色可能な色より指定した色を該仮想物に着色し、色の確認を促す仮想物着色処理手段を更に具備することを特徴とする請求項１から請求項７のいずれかに記載の色指定サーバ。
【請求項９】
前記配合計算手段が出力する配合結果情報により一意に決まる樹脂や染顔料の情報を基に、コストを計算するコスト計算手段を更に具備し、
前記配合結果送信手段は、前記配合結果情報にコスト情報を含めて送信する
ことを特徴とする請求項１から請求項８のいずれかに記載の色指定サーバ。
【請求項１０】
ネットワークに接続可能な利用者端末へ色指定の為の画面を表示させる色指定サーバと、前記利用者端末から前記色指定サーバが受信した発注情報を受信する受注システムとを少なくとも具備する色指定受発注システムであって、
前記色指定サーバは、
調色可能な色を求めるために必要となる情報を格納する調色可能色情報データベースと、
前記調色可能な色を求めるために必要となる条件情報の指定を促す条件指定画面を前記利用者端末へ送信する条件指定処理手段と、
前記条件指定画面にて指定された条件情報を基に、該条件情報で定められる条件の範囲で調色可能な色について、前記調色可能色情報データベースを参照することにより求め、その結果を前記利用者端末へ送信する色情報送信手段と、
前記利用者端末より、前記調色可能な色の中より色および該色の製品が指定された場合、該色および該製品を特定する指定製品情報ならびに発注情報を受信する受信手段と、
受信した前記指定製品情報ならびに前記発注情報を前記受注システムへ送信する送信手段と、
前記調色可能な色の中より指定された色に関する色情報を受信する色情報受信手段と、
受信した該色情報を基に樹脂、染顔料の配合比率を計算する配合計算手段と、
前記配合計算手段が出力する配合結果情報を前記利用者端末へ送信する配合結果送信手段と、
前記色指定サーバの利用者を特定する利用者ＩＤに関連付けて、該利用者における着色対象となる物品に関する用途情報を含む利用者情報を格納する利用者情報データベースと
を具備し、
前記利用者が特定できた場合、前記条件指定処理手段は、前記利用者情報データベースより参照する該利用者の用途情報を基に樹脂、染顔料の種類を限定した前記条件指定画面を前記利用者端末へ送信し、
前記受注システムは、
受信した前記発注情報を基に、受注処理を行う受注手段を具備する
ことを特徴とする色指定受発注システム。
【請求項１１】
前記製品の在庫数を管理する物流システムを更に具備し、
前記色指定サーバは、
前記物流システムより前記指定製品情報に対応する製品の在庫情報を取得し、該製品が発注可能であるかを判断する在庫確認手段と、
該判断結果を前記利用者端末へ送信する送信手段と
を更に具備する
ことを特徴とする請求項１０に記載の色指定受発注システム。
【請求項１２】
前記製品のコストに関する情報を管理する経理システムを更に具備し、
前記色指定サーバは、
前記経理システムより前記指定製品情報で特定される製品に用いる材料の時価情報を取得し、時価を反映した製品の価格を前記利用者端末へ提示する価格提示手段を更に具備する
ことを特徴とする請求項１０または請求項１１に記載の色指定受発注システム。
【請求項１３】
前記受注システムより受注情報を受信し、前記受注情報を基に製品を製造する製造システムを更に具備することを特徴とする請求項１０から請求項１２のいずれかに記載の色指定受発注システム。
【請求項１４】
ネットワークに接続可能な利用者端末へ、色指定の為の画面を表示させる色指定方法であって、
調色可能な色を求めるために必要となる条件情報の指定を促す条件指定画面を前記利用者端末へ送信する第１のステップと、
前記条件指定画面にて指定された条件情報を基に、該条件情報で定められる条件の範囲で調色可能な色について、調色可能な色を求めるために必要となる情報を格納する調色可能色情報データベースを参照することにより求め、その結果を前記利用者端末へ送信する第２のステップと、
前記調色可能な色の中より指定された色に関する色情報を受信する第３のステップと、
受信した該色情報を基に樹脂、染顔料の配合比率を計算する第４のステップと、
前記第４のステップによる配合結果情報を前記利用者端末へ送信する第５のステップと、
利用者を特定する利用者ＩＤによって利用者が特定できた場合、前記利用者ＩＤに関連付けて該利用者における着色対象となる物品に関する用途情報を含む利用者情報を格納する利用者情報データベースより、参照する該利用者の用途情報を基に樹脂、染顔料の種類を限定した前記条件指定画面を前記利用者端末へ送信する第６のステップと
を有することを特徴とする色指定方法。
【請求項１５】
前記第２のステップは、前記調色可能な色を基に調色可能な色の領域である色域ゾーンを色空間内に提示し、該色域ゾーン内において色指定可能な色指定画面を表示するための情報を、前記利用者端末へ送信する
ことを特徴とする請求項１４に記載の色指定方法。
【請求項１６】
ネットワークに接続可能な利用者端末へ色指定の為の画面を表示させる色指定サーバと、前記利用者端末から前記色指定サーバが受信した発注情報を受信する受注システムとを用いる色指定受発注方法であって、
前記色指定サーバが、調色可能な色を求めるために必要となる条件情報の指定を促す条件指定画面を前記利用者端末へ送信するステップと、
前記色指定サーバが、前記条件指定画面にて指定された条件情報を基に、該条件情報で定められる条件の範囲で調色可能な色について、調色可能な色を求めるために必要となる情報を格納する調色可能色情報データベースを参照することにより求め、その結果を前記利用者端末へ送信するステップと、
前記色指定サーバが、前記利用者端末より、前記調色可能な色の中より色および製品が指定された場合、該色の該製品を特定する指定製品情報を受信するステップと、
前記色指定サーバが、受信した前記指定製品情報ならびに前記発注情報を前記受注システムへ送信するステップと、
前記色指定サーバが、前記調色可能な色の中より指定された色に関する色情報を受信するステップと、
前記色指定サーバが、受信した該色情報を基に樹脂、染顔料の配合比率を計算するステップと、
前記色指定サーバが、前記計算された配合比率の配合結果情報を前記利用者端末へ送信するステップと、
前記色指定サーバが、利用者を特定する利用者ＩＤによって利用者が特定できた場合、前記利用者ＩＤに関連付けて該利用者における着色対象となる物品に関する用途情報を含む利用者情報を格納する利用者情報データベースより、参照する該利用者の用途情報を基に樹脂、染顔料の種類を限定した前記条件指定画面を前記利用者端末へ送信するステップと、
前記受注システムが、受信した前記発注情報を基に、受注処理を行うステップと
を有することを特徴とする色指定受発注方法。
【請求項１７】
ネットワークに接続可能な利用者端末へ、色指定の為の画面を表示させる色指定方法のプログラムを記録したコンピュータ読取り可能な記録媒体であって、
前記調色可能な色を求めるために必要となる条件情報の指定を促す条件指定画面を前記利用者端末へ送信するステップと、
前記条件指定画面にて指定された条件情報を基に、該条件情報で定められる条件の範囲で調色可能な色について、調色可能な色を求めるために必要となる情報を格納する調色可能色情報データベースを参照することにより求め、その結果を前記利用者端末へ送信するステップと、
前記調色可能な色の中より指定された色に関する色情報を受信するステップと、
受信した該色情報を基に樹脂、染顔料の配合比率を計算するステップと、
前記計算された配合比率の配合結果情報を前記利用者端末へ送信するステップと、
利用者を特定する利用者ＩＤによって利用者が特定できた場合、前記利用者ＩＤに関連付けて該利用者における着色対象となる物品に関する用途情報を含む利用者情報を格納する利用者情報データベースより、参照する該利用者の用途情報を基に樹脂、染顔料の種類を限定した前記条件指定画面を前記利用者端末へ送信するステップと
を有することを特徴とするプログラムを記録したコンピュータ読取り可能な記録媒体。
【発明の詳細な説明】
【０００１】
【発明の属する技術分野】
この発明は、ネットワークに接続可能な利用者端末へ、色指定の為の画面を表示させる色指定サーバ、色指定受発注システム、色指定方法、色指定受発注方法およびその記録媒体に関するものである。
【０００２】
【従来の技術】
従来、着色した樹脂で製品を製造する場合、発注者が色見本や雑誌の切り抜き等の色サンプルで所望の色を指定し、受注者はその色と同じ色に着色した樹脂を試作し、発注者が納得する色ができるまで試作を繰り返し行っていた。
【０００３】
【発明が解決しようとする課題】
上述したように、従来は発注者の色の指定方法が決められておらず、また、提供される色サンプルが発注者の欲しい色と完全に一致していない場合もあり、発注者の所望の色が正確に伝達されないという問題があった。また、樹脂や染顔料の組み合わせでは調色できない色の領域があるが、その領域を発注者は知らないので、実現不可能な色を指定してくる場合があるという問題があった。
【０００４】
この発明は、上述した事情を考慮してなされたもので、利用者（上記の発注者）の所望の色を正確に伝達できるよう、ネットワークに接続可能な利用者端末へ、色指定の為の画面を表示させる色指定サーバ、色指定受発注システム、色指定方法、色指定受発注方法およびその記録媒体を提供することを目的とする。
また、ネットワークに接続可能な利用者端末へ、色指定の為の画面を表示させ、利用者へ実現可能な色の情報を提供できる色指定サーバ、色指定受発注システム、色指定方法、色指定受発注方法およびその記録媒体を提供することを目的とする。
【０００５】
【課題を解決するための手段】
この発明は、上述した課題を解決すべくなされたもので、本発明における色指定サーバにおいては、ネットワークに接続可能な利用者端末へ、色指定の為の画面を表示させる色指定サーバであって、調色可能な色を求めるために必要となる情報を格納する調色可能色情報データベースと、調色可能な色を求めるために必要となる条件情報の指定を促す条件指定画面を利用者端末へ送信する条件指定処理手段と、条件指定画面にて指定された条件情報を基に、該条件情報で定められる条件の範囲で調色可能な色について、調色可能色情報データベースを参照することにより求め、その結果を利用者端末へ送信する色情報送信手段とを具備することを特徴とする。
【０００６】
これにより、調色可能な色を求めるために必要となる情報を格納する調色可能色情報データベースと、調色可能な色を求めるために必要となる条件情報の指定を促す条件指定画面を利用者端末へ送信する条件指定処理手段と、条件指定画面にて指定された条件情報を基に、該条件情報で定められる条件の範囲で調色可能な色について、調色可能色情報データベースを参照することにより求め、その結果を利用者端末へ送信する色情報送信手段とを具備するので、調色可能色情報データベースに格納される情報を基に、用途等で制限を加えるための条件情報を受信することで、条件情報の制限内で調色可能な色についての情報を利用者へ提供することができる。
【０００７】
また、本発明における色指定サーバにおいては、上記調色可能な色を求めるために必要となる情報は、少なくとも樹脂の種類と、染顔料の種類と、それらを混合する割合であることを特徴とする。
これにより、上記調色可能な色を求めるために必要となる情報は、少なくとも樹脂の種類と、染顔料の種類と、それらを混合する割合であるので、樹脂や染顔料等の条件情報を受信することで、調色可能な色についての情報を利用者へ提供することができる。
【０００８】
また、本発明における色指定サーバにおいては、上記色情報送信手段は、調色可能な色を基に調色可能な色の領域である色域ゾーンを色空間内に提示し、該色域ゾーン内において色指定可能な色指定画面を表示するための情報を、利用者端末へ送信することを特徴とする。
【０００９】
これにより、上記色情報送信手段は、調色可能な色を基に調色可能な色の領域である色域ゾーンを色空間内に提示し、該色域ゾーン内において色指定可能な色指定画面を表示するための情報を利用者端末へ送信するので、視覚的に簡便に調色可能な色の範囲を利用者へ知らせることができる。
【００１０】
また、本発明における色指定サーバにおいては、上記調色可能色情報データベースは、樹脂と染顔料の組み合わせによって定めた複数の基本色についての基本色情報を更に格納し、上記色情報送信手段は、条件情報で定められる条件の範囲で基本色により調色可能な色の領域である色域ゾーンについて、調色可能色情報データベースを参照することにより求め、その結果を利用者端末へ送信することを特徴とする。
【００１１】
これにより、上記調色可能色情報データベースは、樹脂と染顔料の組み合わせによって定めた複数の基本色についての基本色情報を更に格納し、上記色情報送信手段は、条件情報で定められる条件の範囲で基本色により調色可能な色の領域である色域ゾーンについて、調色可能色情報データベースを参照することにより求め、その結果を利用者端末へ送信するので、複数の基本色を組み合わせて配合することで種々の色を調色する手法を使っている場合に、調色可能な色の情報をより正確に求めることができる。
【００１２】
また、本発明における色指定サーバにおいては、上記調色可能色情報データベースは、色見本の色についての色見本情報を更に格納し、上記色情報送信手段は、条件情報で定められる条件の範囲で調色可能な色見本について、調色可能色情報データベースを参照することにより求め、その結果を利用者端末へ送信することを特徴とする。
【００１３】
これにより、上記調色可能色情報データベースは、色見本の色についての色見本情報を更に格納し、上記色情報送信手段は、条件情報で定められる条件の範囲で調色可能な色見本について、調色可能色情報データベースを参照することにより求め、その結果を利用者端末へ送信するので、実際に樹脂による色サンプルを用意されている色見本から簡便に色を選択できる。
【００１４】
また、本発明における色指定サーバにおいては、調色可能な色の中より指定された色に関する色情報を受信する色情報受信手段と、受信した該色情報を基に樹脂、染顔料の配合比率を計算する配合計算手段と、配合計算手段が出力する配合結果情報を利用者端末へ送信する配合結果送信手段とを更に具備することを特徴とする。
【００１５】
これにより、調色可能な色の中より指定された色に関する色情報を受信する色情報受信手段と、受信した該色情報を基に樹脂、染顔料の配合比率を計算する配合計算手段と、配合計算手段が出力する配合結果情報を利用者端末へ送信する配合結果送信手段とを更に具備するので、利用者へ所望の色の樹脂における、配合比率情報や配合結果情報を知らせることができる。
【００１６】
また、本発明における色指定サーバにおいては、着色対象となる物品に関する用途情報を利用者端末より受信する用途情報受信手段を更に具備し、上記条件指定処理手段は、用途情報により樹脂、染顔料の種類を限定した条件指定画面を利用者端末へ送信することを特徴とする。
【００１７】
これにより、着色対象となる物品に関する用途情報を利用者端末より受信する用途情報受信手段を更に具備し、上記条件指定処理手段は、用途情報により樹脂、染顔料の種類を限定した条件指定画面を利用者端末へ送信するので、利用者は、予め限定された樹脂、染顔料のなかより簡便に選択できる。さらには、用途に応じた種々の条件も設定可能である。
【００１８】
また、本発明における色指定サーバにおいては、色指定サーバの利用者を特定する利用者ＩＤに関連付けて、該利用者における着色対象となる物品に関する用途情報を含む利用者情報を格納する利用者情報データベースを更に具備し、利用者が特定できた場合、上記条件指定処理手段は、利用者情報データベースより参照する該利用者の用途情報を基に樹脂、染顔料の種類を限定した条件指定画面を利用者端末へ送信することを特徴とする。
【００１９】
これにより、色指定サーバの利用者を特定する利用者ＩＤに関連付けて、該利用者における着色対象となる物品に関する用途情報を含む利用者情報を格納する利用者情報データベースを更に具備し、利用者が特定できた場合、上記条件指定処理手段は、利用者情報データベースより参照する該利用者の用途情報を基に樹脂、染顔料の種類を限定した条件指定画面を利用者端末へ送信するので、利用者の属する業界や、過去の注文等を参考に、該利用者に関係する樹脂や染顔料等の情報のみを表示し、条件の設定を促すことができる。
【００２０】
また、本発明における色指定サーバにおいては、上記条件指定処理手段は、利用者情報データベースより参照する該利用者の用途の範囲で、用途を指定する手段を更に含む条件指定画面を利用者端末へ送信することを特徴とする。
【００２１】
これにより、上記条件指定処理手段は、利用者情報データベースより参照する該利用者の用途の範囲で、用途を指定する手段を更に含む条件指定画面を利用者端末へ送信するので、利用者は、条件指定画面に表示される、自身に関係する樹脂や染顔料等の条件を更に限定することができる。
【００２２】
また、本発明における色指定サーバにおいては、上記色指定画面において、実際の用途に即した仮想物を２次元もしくは３次元で表示し、調色可能な色より指定した色を該仮想物に着色し、色の確認を促す仮想物着色処理手段を更に具備することを特徴とする。
【００２３】
これにより、上記色指定画面において、実際の用途に即した仮想物を２次元もしくは３次元で表示し、調色可能な色より指定した色を該仮想物に着色し、色の確認を促す仮想物着色処理手段を更に具備するので、最終的に製品化された商品をイメージした色の指定を行うことができる。
【００２４】
また、本発明における色指定サーバにおいては、上記配合計算手段が出力する配合結果情報により一意に決まる樹脂や染顔料の情報を基に、コストを計算するコスト計算手段を更に具備し、上記配合結果送信手段は、配合結果情報にコスト情報を含めて送信することを特徴とする。
【００２５】
これにより、上記配合計算手段が出力する配合結果情報により一意に決まる樹脂や染顔料の情報を基に、コストを計算するコスト計算手段を更に具備し、上記配合結果送信手段は、配合結果情報にコスト情報を含めて送信するので、利用者は、樹脂の色指定と同時にコスト情報を得ることができる。
【００２６】
また、本発明における色指定受発注システムにおいては、ネットワークに接続可能な利用者端末へ色指定の為の画面を表示させる色指定サーバと、前記利用者端末から前記色指定サーバが受信した発注情報を受信する受注システムとを少なくとも具備する色指定受発注システムであって、色指定サーバは、調色可能な色を求めるために必要となる情報を格納する調色可能色情報データベースと、調色可能な色を求めるために必要となる条件情報の指定を促す条件指定画面を利用者端末へ送信する条件指定処理手段と、条件指定画面にて指定された条件情報を基に、該条件情報で定められる条件の範囲で調色可能な色について、調色可能色情報データベースを参照することにより求め、その結果を利用者端末へ送信する色情報送信手段と、利用者端末において、調色可能な色の中より一つまたは複数の色が指定され、該指定された色を含む製品の種類が指定された場合、該指定された色および該製品を特定する指定製品情報ならびに発注情報を利用者端末より受信する受信手段と、受信した指定製品情報ならびに発注情報を受注システムへ送信する発注手段とを具備し、受注システムは、色指定サーバより受信した発注情報を基に、受注処理を行う受注手段を具備することを特徴とする。
【００２７】
これにより、色指定サーバは、条件指定画面にて指定された条件情報を基に、該条件情報で定められる条件の範囲で調色可能な色を求め、その結果を利用者端末へ送信する色情報送信手段と、調色可能な色の中より色および該色の製品が指定された場合、利用者端末より該色および該製品を特定する指定製品情報ならびに発注情報を受信する受信手段と、受信した指定製品情報ならびに発注情報を受注システムへ送信する発注手段とを具備し、受注システムは、色指定サーバより受信した発注情報を基に、受注処理を行う受注手段を具備するので、色指定サーバにて指定した色および製品について発注処理を行い、受注システムにて該製品の受注処理を行うことができる。
【００２８】
また、本発明における色指定受発注システムにおいては、上記製品の在庫数を管理する物流システムを更に具備し、色指定サーバは、物流システムより指定製品情報に対応する製品の在庫情報を取得し、該製品が受注可能であるかを判断する在庫確認手段と、該判断結果を利用者端末へ送信する送信手段とを更に具備することを特徴とする。
【００２９】
これにより、製品の在庫数を管理する物流システムを更に具備し、色指定サーバは、物流システムより指定製品情報に対応する製品の在庫情報を取得し、該製品が発注可能であるかを判断する在庫確認手段と、該判断結果を利用者端末へ送信する送信手段とを更に具備するので、物流システムの在庫情報を反映でき、発注後に在庫が無いことが判明する等の、無駄な発注が発生することを防ぐことができる。
【００３０】
また、本発明における色指定受発注システムにおいては、上記製品のコストに関する情報を管理する経理システムを更に具備し、色指定サーバは、経理システムより指定製品情報で特定される製品に用いる材料の時価情報を取得し、時価を反映した製品の価格を利用者端末へ提示する価格提示手段を更に具備することを特徴とする。
【００３１】
これにより、製品のコストに関する情報を管理する経理システムを更に具備し、色指定サーバは、経理システムより指定製品情報で特定される製品に用いる材料の時価情報を取得し、時価を反映した製品の価格を利用者端末へ提示する価格提示手段を更に具備するので、各顧客との契約状況などを反映した時価を用いた製品価格を利用者端末へ提示することができる。
【００３２】
また、本発明における色指定受発注システムにおいては、上記受注システムから受注情報を受信し、該受注情報を基に製品を製造する製造システムを更に具備することを特徴とする。
【００３３】
これにより、受注システムは、受注手段が処理した受注情報を基に、製品の製造を指示するための製品発注情報を生成し受注処理を行う製品発注手段を更に具備し、受注システムより受注情報（製品発注情報）を受信し、該受注情報を基に製品を製造する製造システムを更に具備するので、利用者端末からの色の指定を含む製品の受注から、製造システムへの該製品の製造指示までのサービスを提供することができる。
【００３４】
また、本発明における色指定方法においては、ネットワークに接続可能な利用者端末へ、色指定の為の画面を表示させる色指定方法であって、調色可能な色を求めるために必要となる条件情報の指定を促す条件指定画面を利用者端末へ送信する第１のステップと、条件指定画面にて指定された条件情報を基に、該条件情報で定められる条件の範囲で調色可能な色について、調色可能な色を求めるために必要となる情報を格納する調色可能色情報データベースを参照することにより求め、その結果を利用者端末へ送信する第２のステップとを有することを特徴とする。
【００３５】
また、本発明における色指定方法においては、上記第２のステップは、調色可能な色を基に調色可能な色の領域である色域ゾーンを色空間内に提示し、該色域ゾーン内において色指定可能な色指定画面を表示するための情報を、利用者端末へ送信することを特徴とする。
【００３６】
また、本発明における色指定受発注方法においては、ネットワークに接続可能な利用者端末へ色指定の為の画面を表示させる色指定サーバと、利用者端末から色指定サーバが受信した発注情報を受信する受注システムとを用いる色指定受発注方法であって、色指定サーバが、調色可能な色を求めるために必要となる条件情報の指定を促す条件指定画面を利用者端末へ送信するステップと、色指定サーバが、条件指定画面にて指定された条件情報を基に、該条件情報で定められる条件の範囲で調色可能な色について、調色可能な色を求めるために必要となる情報を格納する調色可能色情報データベースを参照することにより求め、その結果を利用者端末へ送信するステップと、色指定サーバが、利用者端末より、調色可能な色の中より色および製品が指定された場合、該色の該製品を特定する指定製品情報ならびに発注情報を受信するステップと、色指定サーバが、受信した指定製品情報ならびに発注情報を受注システムへ送信するステップと、受注システムが、受信した発注情報を基に、受注処理を行うステップとを有することを特徴とする。
【００３７】
また、本発明における記録媒体においては、ネットワークに接続可能な利用者端末へ、色指定の為の画面を表示させる色指定方法のプログラムを記録したコンピュータ読取り可能な記録媒体であって、調色可能な色を求めるために必要となる条件情報の指定を促す条件指定画面を利用者端末へ送信するステップと、条件指定画面にて指定された条件情報を基に、該条件情報で定められる条件の範囲で調色可能な色について、調色可能な色を求めるために必要となる情報を格納する調色可能色情報データベースを参照することにより求め、その結果を利用者端末へ送信するステップとを有することを特徴とするプログラムを記録したコンピュータ読取り可能な記録媒体である。
【００３８】
【発明の実施の形態】
以下、発明の実施の形態を通じて本発明を説明する。ただし、以下の実施の形態は特許請求の範囲に記載された発明を限定するものではなく、また実施の形態の中で説明されている特徴の組み合わせのすべてが発明の解決手段に必要であるとは限らない。
まず、本発明の一実施形態として、色指定サーバによる色指定システムを用いた受注システムについて説明する。図１は本発明の一実施形態における色指定サーバによる色指定システムおよび、それを利用した受発注システムの概略構成を示すブロック図である。この図において符号１１は、ネットワーク１２を介して色指定のサービスを提供する色指定サーバである。１３は、ネットワーク１２を介して色指定サーバ１１へアクセス可能な利用者端末（端末１、端末２、端末３、…）である。１４は、色指定サーバとネットワーク１２を介してデータの授受を行い、受注情報、生産情報、物流情報、経理情報の各処理を行う処理システム群である。
【００３９】
以下に、上述した色指定システムおよび、それを利用した受発注システムの動作について説明する。
色指定サーバ１１は、利用者端末１３より樹脂の色指定を受けた後、処理システム群１４にある物流システムとネットワーク１２を介して通信し、在庫、納期などの情報を利用者端末１３へ提示する。また、処理システム群１４にある経理システムとネットワーク１２を介して通信し、トータルのコストを利用者端末１３へ提示する。次に、利用者が該コストと納期を確認して発注してきた場合、色指定サーバ１１は、処理システム群１４にある受注システムとネットワーク１２を介して通信し、上記発注で指定された色の樹脂製品を受注し、処理システム群１４にある生産システムへは該受注情報に含まれる樹脂製品の生産の発注を行う。
【００４０】
以上により、利用者は、樹脂製品における樹脂の色指定システムから、該樹脂製品用の樹脂を生産する為の発注システムまでを簡便に利用することができる。また、物流システムから在庫情報を受けることで、色指定サーバ１１は、納期を予測し、それらの情報を利用者へ提供することができる。また、経理システムから情報を受けることで、色指定サーバ１１は、樹脂や染顔料の時価を反映させた見積りを利用者へ提示することができる。
【００４１】
次に、色指定サーバ１１について、図を用いて構成と動作の詳細を以下に説明する。
図２は、本発明の一実施例における色指定サーバ１１の概略構成を示すブロック図である。符号１０１は、色指定サーバ１１の内部におけるデータの制御を行う制御部である。１０２は、樹脂の種類と、染顔料の種類と、それらを混合する割合等の情報より調色可能な色を求めるために必要となる情報を格納する調色可能色情報データベース１０２ａと、利用者を特定する利用者ＩＤ（識別子）に関連付けて、該利用者における着色対象となる物品に関する用途情報を含む利用者情報を格納する利用者情報データベース１０２ｂを具備するデータベースである。１０３は、各種の処理を行う処理プログラムを実行する処理プログラム部である。その詳細な構成および動作については後述する。
【００４２】
ここで、データベース１０２の構成について一例を示して説明する。
図１０は、本発明の一実施形態におけるデータベース１０２の構成を示す図である。まず、調色可能色情報データベース１０２ａの構成について図１０（ａ）を用いて説明する。図１０（ａ）の、”樹脂情報”とは、樹脂の種類別に用途、性質、コストの情報が、以下に例示する項目において格納される、
用途：買い物袋、自動車内装、自動車外装、家電部品、電線、生活雑貨、…
性質：耐候性、衛生性、成形性、環境問題、使用制限（温度制限など）、法規制コスト：標準単価、発注量に応じた設定価格
上記と同様に、”染顔料情報”や”添加剤情報”においても、用途、性質、コストの情報が種々の項目において格納される。尚、用途は、上記に示した限りではなくパイプ、フラットヤーン、マーキングフィルム、塗料インキ等、樹脂を用いる種々の製品についての情報を格納して好適である。また、性質、コストについても同様である。
【００４３】
また、”基本色情報”とは、樹脂と染顔料および添加剤を配合して数十種類の基本となる色を作成し、それらを組み合わせることで種々の色を実現する場合の基本となる色の情報である。具体的には、原料、用途、性質、コスト、分光反射データについての情報が格納される。また、”既存色情報”とは、過去に配合したことのある色についての情報である。具体的には、原料、用途、性質、コスト、分光反射データについての情報が格納される。尚、原料とは、樹脂、染顔料、添加剤についての情報であり、分光反射データとは、基本色または既存色の分光反射率を基にしたデータである。尚、”既存色情報”には、色見本の色についての”色見本情報”が含まれており、色見本として提供されている色についての情報である。
【００４４】
次に、利用者情報データベース１０２ｂの構成について図１０（ｂ）を用いて説明する。図１０（ｂ）の”ユーザＩＤ”、”パスワード”とは、利用者を特定する為に登録させる識別情報である。”一般情報”とは、利用者の氏名（企業名）、住所、連絡先などの情報である。”用途情報”とは、各利用者の業種等により決まる、用途、成形法、使用する樹脂などの情報である。”履歴情報”とは、各利用者が過去に発注した樹脂の履歴などの情報である。”コスト情報”とは、取引先である各利用者毎に、過去の取引の実績や発注量により、個別に対応した単価情報である。
【００４５】
次に、処理プログラム部１０３の構成について詳細な説明を行う。
符号１０４は、調色可能な色を求めるために必要となる、用途、樹脂、染顔料などの条件情報の指定を促す条件指定画面を利用者端末１３へ送信する条件指定処理部である。尚、条件指定処理部１０４は、予め用途等の情報を得た場合、該情報を基に樹脂、染顔料の種類を限定した条件指定画面を利用者端末１３へ送信する。１０５は、条件指定画面にて指定された条件情報を基に、該条件情報で定められる条件の範囲で調色可能な色について、調色可能色情報データベース１０２ａを参照することにより求め、その結果を利用者端末１３へ送信する色情報送信処理部である。
【００４６】
尚、色情報送信処理部１０５は、調色可能な色を基に調色可能な色の領域である色域ゾーンを色空間内に提示し、該色域ゾーン内において色指定可能な色指定画面を表示するための情報を、利用者端末１３へ送信する。また、色情報送信処理部１０５は、条件情報で定められる条件の範囲で基本色により調色可能な色の領域である色域ゾーンについて、調色可能色情報データベース１０２ａを参照することにより求め、その結果を利用者端末１３へ送信する。また、利用者が色を色見本から選択する場合、色情報送信処理部１０５は、条件情報で定められる条件の範囲で調色可能な色見本について、調色可能色情報データベース１０２ａを参照することにより求め、その結果を利用者端末１３へ送信する。
【００４７】
１０６は、調色可能な色の中より指定された色に関する色情報を利用者端末１３より受信する色情報受信処理部である。１０７は、受信した該色情報を基に樹脂、染顔料の配合比率を計算する配合計算処理部である。１０８は、配合計算処理部１０７が出力する配合結果情報を利用者端末１３へ送信する配合結果送信処理部である。１０９は、着色対象となる物品に関する用途情報を利用者端末１３より受信する用途情報受信処理部である。１１０は、実際の用途に即した仮想物を２次元もしくは３次元で利用者端末１３へ表示し、調色可能な色より指定した色を該仮想物に着色し、色の確認を促す仮想物着色処理部である。
【００４８】
１１１は、配合計算処理部１０７が出力する配合結果情報により一意に決まる樹脂や染顔料の情報を基に、コストを計算するコスト計算処理部である。ここで、コスト計算処理部１１１でコスト計算を行った場合、配合結果送信処理部１０８は、コスト計算処理部１１１の算出したコスト情報を配合結果情報に含めて、利用者端末１３へ送信する。
【００４９】
尚、上記に示した処理プログラム部１０３の各処理部は専用のハードウェアにより実現されるものであってもよく、また、各処理部はメモリおよびＣＰＵ（中央演算装置）により構成され、各処理部の機能を実現する為のプログラムをメモリにロードして実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。
【００５０】
次に、色指定サーバ１１の動作について説明する。
図３は、本発明の一実施形態における色指定サーバ１１の動作を示すフロー図である。利用者端末１３より色指定サーバ１１へアクセスがあった場合、色指定サーバ１１は、調色システムのトップページを利用者端末１１へ表示させる（ステップＳ１）。ここで、利用者が色指定システムを利用する場合、色指定サーバ１１は、図４に示すログイン画面を利用者端末１３へ表示する。ここで、ユーザＩＤを既に登録している利用者の場合、ユーザＩＤ入力欄４１へ利用者のユーザＩＤを、パスワード入力欄４２へは利用者のパスワードを入力する。その情報を受信した色指定サーバ１１は、利用者情報データベース１０２ｂを参照してユーザＩＤとパスワードを確認しユーザ認証を行う（ステップＳ２）。
尚、ユーザＩＤを未登録の利用者の場合でも、色指定サーバ１１で色指定可能である。ただし、コスト計算等ができない等の制限が付加される。
【００５１】
次に、ユーザ認証された利用者が、利用者情報データベース１０２ｂの”用途情報”において、該利用者の製品の用途が買物袋に限定されている場合、色情報送信処理部１０５は、例えば図５に示すように、買物袋用の樹脂や染顔料の組み合わせで調色可能な色の領域である色域ゾーンを色空間内に斜線で提示し、該色域ゾーン内において色指定可能な色指定画面を利用者端末１３へ表示させる（ステップＳ３）。尚、色の指定方法は種々の方法を用いてよく、色見本帳から所望の色を選択したり（ステップＳ４ａ）、図５に示す色空間より自由調色する（ステップＳ４ｂ）以外にもＲＧＢ調色等を用いて好適である。また、何れの色指定であっても、色域ゾーンを求める色域限界値計算を行う（ステップＳ５）。また、利用者が自ら分光光度計をもちいて測色したデータ（ＲＧＢ値等）を基に、色の指定を行うこともできる。
【００５２】
ここで、図５について以下に説明する。図５は、本発明の一実施形態における色指定サーバ１１が利用者端末１３へ表示させる色指定画面例を示す図である。色指定画面５１には、縦軸を彩度、横軸を色相とする色平面５２と、該色平面の明度を指定する明度指定欄５３がある。この色平面５２と明度指定欄５３で色空間を構築する。色平面５２内の○は買物袋用の樹脂や染顔料を用いた基本色の位置を示す。色平面５２内の斜線部分は、色情報送信処理部１０５が、買物袋用の樹脂や染顔料の範囲で基本色により調色可能な色の領域として、調色可能色情報データベース１０２ａを参照することにより求めた色域ゾーンを示す（色域限界値計算）。
【００５３】
また、利用者は該色域ゾーンの所望の個所をマウスでクリックすることで指定すると、十字のマーク５４が色平面５２に付加され、現在指定中の色について色平面５２内に明示する。また、色平面５２の明度を変更する場合は、明度指定欄５３にあるゲージ５５を上下させることで行う。この時、明度指定欄５３内にある基本色を表す○の内、一番上の○を超す明るさの明度は調色不可能な色の領域となる。
【００５４】
次に、利用者が使用する樹脂などの条件を設定したい場合、条件指定処理部１０４は、買物袋用の樹脂、染顔料の種類に限定した図６に示す条件指定画面を利用者端末１３へ送信する。利用者は該条件指定画面において条件を指定することで、種々の条件を考慮した調色サービスを享受できる（ステップＳ６）。
【００５５】
ここで図６について、以下に説明する。図６は、本発明の一実施形態における色指定サーバ１１が利用者端末１３へ表示させる条件指定画面例を示す図である。符号６１は、樹脂の成形法を選択する欄である。図６では、買物袋の成形法としてインフレーションとＴダイ（Ｔ型ダイス）のどちらかを選択できる。６２は、樹脂種を選択する欄である。図６では、買物袋の樹脂種としてＨＤＰＥ（高密度ポリエチレン）、ＬＬＤＰＥ（直鎖状低密度ポリエチレン）、ＬＤＰＥ（低密度ポリエチレン）の中から選択できる。６３は、用途を選択する欄である。図６では、買物袋のさらに限定する用途として、ショッピングバッグ、レジ袋、風呂敷他から選択できる。尚、レジ袋とは、コンビニエンスストア等でレジにて清算後の商品を入れるポリ袋のことをいう。
【００５６】
また、６４は、希望するコストを指定する欄である。樹脂の重さ単位当たりで希望する値段（単位は円）を入力できる。この指定により所望の色を出すのに高価な染顔料が必要であるかどうかも考慮できる。６５は、買物袋に必要な規格または法規制を選択する欄である。図６では、ポリ衛協ＰＬ（ポリオレフィン等衛生協議会ポジティブリスト）に規定される規格である、ＰＬ−Ｚ、ＰＬ−Ｑのどちらかを選択できる。６６は、上述した条件指定の項目について指定が終わった場合、該条件で次のステップへ進む為にマウスでクリックするＯＫボタンである。尚、選択欄６１、６２、６３、６５において、マウスでクリックして選択した項目に図６に示す◎が付加され、どれを選択しているかを明示する。
【００５７】
以上により、具体的な条件を設定でき、このステップＳ６で条件設定後に色選択のステップＳ３へ戻った場合、該条件設定によりさらに調色可能な色域ゾーンが制限されて利用者端末１３へ表示される。以上により、例えば色選択画面に表示される色域ゾーンの一部は高価な染顔料を使用してのみ調色可能である。その部分において、利用者が、条件指定画面でコストを変化させることによる、調色可能な色域ゾーンの変化を見て、コストと色選択の妥協点を見つけることができる。
【００５８】
次に、ステップＳ６の用途選択欄６３で”レジ袋”を指定した利用者が、利用者の所望する実際の商品の外形に近い、２次元もしくは３次元の商品イメージ（仮想物）に、指定した色を着色して仕上りを利用者端末１３の画面上で確認したい場合、仮想物着色処理部１１０は、”レジ袋”に限定した図７に示す仮想物選択画面を利用者端末１３へ送信する。利用者は該仮想物選択画面において最も所望する実際の商品に近い商品イメージを選択する（ステップＳ７）。
ここで、図７について、以下に説明する。図７は、本発明の一実施形態における色指定サーバ１１が利用者端末１３へ表示させる仮想物選択画面例を示す図である。図７では、”レジ平袋””レジ袋””リュック型袋ひも付”の３種類から選択できる。符号７１、７２、７３は、”レジ平袋””レジ袋””リュック型袋ひも付”を選択する際にマウスでクリックする選択ボタンである。
【００５９】
次に、ステップＳ３での色選択、ステップＳ６での条件指定が終わり、ステップＳ７において選択ボタン７２がクリックされ”レジ袋”が選択されたとする。仮想物着色処理部１１０は、ステップＳ７で選択された仮想の”レジ袋”に、ステップＳ３で選択された色を着色した図８に示す選択色確認画面を利用者端末１３へ送信する（ステップＳ８）。以上により、利用者は該選択色確認画面において実際の商品に近い商品イメージで色の確認を行うことができる。また、該仮想物を表示する場合に、仮想物着色処理部１１０は、種々の仮想的な光源の選択を利用者へ促し、光源の違いによる色の違いを利用者端末１３へ表示する（ステップＳ９）。
【００６０】
ここで、図８について、以下に説明する。図８は、本発明の一実施形態における色指定サーバ１１が利用者端末１３へ表示させる選択色確認画面例を示す図である。符号８１は、仮想物を表示する仮想物表示エリアである。８２は、該仮想物に着色されている、選択された色を表示する選択色表示エリアである。８３は、利用者が、この画面を見て所望の色と判断した場合にクリックするＯＫボタンである。以上により、選択した色が実際の物となった場合を仮想的に画面で見ることができ、より精度のよい色指定を実現できる。尚、色が気に入らなければ、ステップＳ３の色選択画面へ戻り、別の色を選択することができる。
【００６１】
次に、ＯＫボタン８３がクリックされた場合、色情報受信処理部１０６は、その指定された色に関する色情報（条件情報も含む）を受信する。次に、配合計算処理部１０７が該色情報を基に、樹脂、染顔料および添加剤の最適配合計算を行い配合結果情報を出力する（ステップＳ１０）。この時、同時にコスト計算処理部１１１が、配合結果情報を基にコスト計算を行いコスト情報を出力する。次に、配合結果送信処理部１０８は、配合計算処理部１０７が出力する配合結果情報にコスト計算処理部１１１が出力するコスト情報を含めた配合結果画面情報を利用者端末１３へ送信する。これにより、利用者端末１３に図９に示す配合結果画面が表示される（ステップＳ１１）。尚、配合計算処理部１０７は調色可能色情報データベース１０２ａより参照する基本色情報を基に最適配合計算を行って配合結果情報を出力してもよい。
【００６２】
ここで、図９について、以下に説明する。図９は、本発明の一実施形態における色指定サーバ１１が利用者端末１３へ表示させる配合結果画面例を示す図である。符号９１は、基本色の配合比率を示す配合表示エリアである。９２は、耐熱性、耐候性、色移行性などを数値表示し、レジ袋に必要な色の透け具合を確認する為に、配合した色（元の色）と一緒に、白バック、黒バック（白、黒を背景にした場合の色）の色も表示する性能表示エリアである。尚、上記の透け具合を数値化した隠蔽性について数値表示してもよい。９３は、価格、安全性（種々の規格や法規制についての情報）についての情報を表示する価格・安全性表示エリアである。尚、ここで表示される価格は、コスト情報を基にしたものである。
【００６３】
９４は、製品の詳細な情報（樹脂、染顔料、添加剤等の情報）を表示したい場合にクリックする製品の詳細ボタンである。９５は、該配合結果画面に表示された配合結果の色、コスト、性能、安全性に満足し、該色の樹脂を注文する場合にクリックする注文ボタンである。９６は、該配合結果画面に表示された配合結果の色、コスト等で満足できなかった場合に、もう一度色や条件を指定し直す為ステップＳ３へ戻る、戻りボタンである。
以上により、配合後の色と配合結果に加えて、性能、価格、安全性についても確認することができる。
【００６４】
ここで、図９の戻りボタン９６がクリックされた場合（ステップＳ１２の再配合）、ステップＳ３へ戻って、条件指定（ステップＳ６）等を変更する。また、図９の注文ボタン９５がクリックされた場合（ステップＳ１２の発注）、色指定サーバ１１は、ネットワーク１２を介して、処理システム群１４内の物流システムと情報を授受し、在庫情報等より納期を概算し、該納期情報を含む発注確認画面を利用者端末１３へ表示する（ステップＳ１３）。発注が確認ＯＫだった場合、次に、色指定サーバ１１は、ネットワーク１２を介して、処理システム群１４内の受注システムと情報を授受し、受注確認画面を利用者端末１３へ表示する（ステップＳ１４）。その際、各色の受注品を品番で管理することにより、以後の同色製品の発注を、品番の入力のみで行うことができる。これにより、発注操作の簡略化を行うことができる。以上により、樹脂の色の指定から、発注までの一連の流れをネットワーク１２経由で利用者端末１３へ提供できる。
【００６５】
尚、色の選択（もしくは指定）、条件の指定、商品イメージの選択、の各ステップは上述した順序の限りではなく、３つのステップをどの順序で行ってもよい。また、２次元または３次元の仮想物の表示は、市販のソフトウェアを用いてもよい。そうすることで、市販のソフトウェアに付属する、色の透過具合や、光源の種類の選択等を利用できる。また、上記実施形態では、利用者ＩＤにより用途情報を特定していたが、利用者端末１３より用途情報を送信させ、用途情報受信処理部１０９が該用途情報を受信してもよい。この後に、受信した該用途情報により樹脂や染顔料を制限した条件指定画面情報が、利用者端末１３へ送信される。
【００６６】
次に、上述した図１に示す処理システム郡１４の内部構成、および色指定サーバと関連する動作について説明する。ここで、上述した受注システムおよび色指定サーバを少なくとも具備するシステムを色指定受発注システムとして、該色指定受発注システムの一実施形態の構成および動作を以下に示す。
まず、本発明の一実施形態における色指定受発注システムの概略構成について図を用いて説明する。図１１は、本発明の一実施形態における色指定受発注システムの概略構成を示す図である。図に示すように、色指定受発注システム１０は、色指定サーバ１１’と処理システム郡１４（受注システム１４ａ、生産システム１４ｂ、物流システム１４ｃ、経理システム１４ｄから成る）を具備する。また、各システム間および各システムと色指定サーバ１１’とネットワーク１２を介して通信可能である。尚、各システム間の通信においては、ネットワーク１２に限らず、専用線などを介して通信を行ってもよい。
【００６７】
次に、上述した色指定サーバ１１’の内部構成について図を用いて説明する。
図１２は、本発明の一実施形態における色指定サーバ１１’の内部構成を示すブロック図である。図において、符号１０１〜１１０までは、図２に示した色指定サーバ１１内の各処理部と同じ構成であり、各処理部の動作も同じである。次に、コスト計算処理部１１１は、上述した機能に加えて、経理システム１４ｄと通信を行い製品に用いる材料の時価情報を取得し、製品のコストを計算する際に該時価情報を反映させて、製品の価格を利用者端末１３へ提示する機能（価格提示手段）を更に有する。尚、時価情報としては、各顧客企業との契約により定まる材料単価または製品単価や、市場価格の変動を反映した材料単価や、製品の発注量、納期などを考慮して定めた製品単価などを用いて好適である。
【００６８】
また、送受信処理部１１２（受信手段、送信手段）は、利用者端末１３において、調色可能な色の中より一つまたは複数の色が指定され、該指定された色を含む製品の種類が指定された場合、該指定された色および該製品を特定する指定製品情報を利用者端末１３より受信する。また、送受信処理部１１２は、色指定サーバ１１’において判断した判断結果を利用者端末１３へ送信する。また、発注処理部１１３は、受信した指定製品情報に対応する製品の発注を行うための発注情報を受注システム１４ａへ送信する。在庫確認処理部１１４は、物流システム１４ｃより指定製品情報に対応する製品の在庫情報を取得し、発注可能であるかを判断する。
【００６９】
次に、上述した受注システム１４ａの内部構成について図を用いて説明する。
図１３は、本発明の一実施形態における受注システム１４ａの内部構成例を示すブロック図である。図において、符号１３１は、受注システム１４ａ内のデータを制御する制御部である。１３２は、色指定サーバ１１’より受信した製品の発注情報を受注処理することで生成した受注情報および、該受注情報を基に、生産システム１４ｂへ製品を発注するための製品発注情報を格納する受発注情報データベース１３２ａと、一つまたは複数の生産システム１４ｂに対して、各生産システム１４ｂにて製造可能な製品の種類、製造可能な納期、設備稼働状況などの生産情報を格納する生産情報データベース１３２ｂとを具備するデータベースである。
【００７０】
１３３は、色指定サーバ１１’より受信した製品の発注情報を基に受注処理を行い、該処理により生成した受注情報を受発注情報データベース１３２ａへ格納する受注処理部である。１３４は、受発注情報データベース１３２ａより受注情報を、生産情報データベース１３２ｂより生産情報を参照して、生産システム１４ｂへ製品の製造を指示する製品発注情報を生成し発注処理を行う製品発注処理部である。尚、製品発注処理部１３４が生成した製品発注情報は、受発注情報データベース１３２ａに格納される。
【００７１】
また、製造システム１４ｂは、受注システム１４ａより製品発注情報を受信し、該製品発注情報を基に製品を製造する。また、物流システム１４ｃは、複数の製品の在庫数を管理している。更に、物流システム１４ｃは、ネットワーク１２経由で在庫情報の要求を受信し、特定の製品に関する在庫情報を返信する。また、経理システム１４ｄは、製品の単価や材料単価などのコストに関する情報を管理する。更に、経理システム１４ｄは、指定製品情報で特定される製品に用いる材料の時価情報の要求をネットワーク１２経由で受信し、該要求に応じた時価情報を返信する。
【００７２】
次に、上述した色指定受発注システム１０の動作について説明する。
図１４は、本発明の一実施形態である色指定受発注システム１０の動作を示すフロー図である。尚、図１４に示す色指定受発注システム１０の動作は、上述した色指定サーバ１１のステップＳ１３およびステップＳ１４の動作を含む動作である。
【００７３】
まず、利用者端末１３において、色および該色の製品の種類が指定された場合、利用者端末１３は、指定された色および製品に関する情報である指定製品情報を色指定サーバ１１’へ送信する（ｔ１）。この指定製品情報を、色指定サーバ１１’の送受信処理部１１２が受信する。尚、上述したように、利用者端末１３において指定可能な色は色指定サーバ１１’が示した範囲内である。また、指定製品情報としては、色情報、製品の種別情報をコード化して送信するなどが好適である。
【００７４】
次に、色指定サーバ１１’の在庫確認処理部１１４は、送受信処理部１１２が受信した指定製品情報を基に、指定された色であって、指定された種類の製品に関する在庫情報を物流システム１４ｃへ要求する。更に、コスト計算処理部１１１は、該色の該製品に関する時価情報を経理システム１４ｄへ要求する（ｔ２）。これにより、物流システム１４ｃは、該製品の在庫情報を色指定サーバ１１’へ返信する。また、経理システム１４ｄは、該製品に使用される材料単価などの時価情報を返信する（ｔ３）。色指定サーバ１１’の在庫確認処理部１１４は、受信した在庫情報を基に、製品が受注可能であるかを判定する（ｔ４）。
【００７５】
この判定結果が受注可能である場合、コスト計算処理部１１１は、時価を反映させた製品のコスト計算を行う。次に色指定サーバ１１’は、該計算結果を含む発注の確認に必要な情報を提示するための発注確認画面を利用者端末１３へ表示させる（ｔ５）。ここで、利用者端末１３において、利用者が発注確認画面にて確認後に、図示していないが例えば発注確認画面にある“ＯＫ”ボタンを押下する。これにより、利用者端末１３より発注ＯＫの旨の情報が色指定サーバ１１’へ送信される（ｔ６）。色指定サーバ１１’は、これを受信し、指定製品情報に対応する製品の発注を行うための発注情報を受注システム１４ａへ送信する（ｔ７）。
【００７６】
これにより、受注システム１４ａは、色指定サーバ１１’より発注情報を受信する。次に、受注処理部１３３は、受信した発注情報を基に、受注処理を行い、該処理により生成した受注情報を受発注情報データベース１３２ａへ格納する（ｔ８）。次に、受注システム１４ａは、受注を受け付けた旨を含む受注確認のための情報を色指定サーバ１１’へ送信する（ｔ９）。色指定サーバ１１’は、受注システム１４ａより受信した受注確認の情報を利用者端末１３へ送信する（ｔ１０）。
【００７７】
次に、受注システム１４ａの製品発注処理部１３４は、受発注情報データベース１３２ａより受注情報を、生産情報データベース１３２ｂより生産情報を参照して、生産システム１４ｂへ製品の製造を指示する製品発注情報を生成し、任意のタイミングで発注処理（生産システム１４ｂへ製品発注情報を送信する処理）を行う（ｔ１１）。これにより、受注システム１４ａは、生産システム１４ｂへの生産指示となる製品の発注を行う（ｔ１２）。次に、生産システム１４ｂは、製品発注情報に従って、製品の生産を行う（ｔ１３）。
【００７８】
尚、上述した任意のタイミングとは、例えば、製品発注情報を生成した際や、同一製品の発注数がある閾値を超えた際など、種々のタイミングを用いてよい。また、上述した実施形態では、生産システム１４ｂが社外にあることを想定して、製品の発注としたが、社内にある生産システム１４ｂへの生産指示も含むとする。
【００７９】
尚、図２における処理プログラム部１０３および図１２または図１３において、各種処理を行う処理部の機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
また、「コンピュータシステム」とは、ＷＷＷシステムを利用している場合であれば、ホームページ提供環境（あるいは表示環境）も含むものとする。
【００８０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００８１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００８２】
尚、本発明の色指定システムにおける、色指定サーバ１１および利用者端末１３に備わる表示装置は、厳密な色管理のためのキャリブレーションを行っているものとする。すなわち、機種や個体差によって、同じＲＧＢデータでも微妙に違う色として表示される誤差を、市販の専用ツール等により補正する。これにより、利用者は精度のよい色指定を行うことができる。また、最近はｓＲＧＢ等の規格ができたことで、機種間やデバイス間の色の差を吸収できるようなシステムが簡便に構築でき、これを用いてもよい。
以上、この発明の実施形態について図面を参照して詳述してきたが、具体的な構成はこの実施形態に限られるものではなく、この発明の要旨を逸脱しない範囲の設計等も含まれる。
【００８３】
【発明の効果】
以上説明したように本発明における色指定サーバにおいては、調色可能な色を求めるために必要となる情報を格納する調色可能色情報データベースと、調色可能な色を求めるために必要となる条件情報の指定を促す条件指定画面を利用者端末へ送信する条件指定処理手段と、条件指定画面にて指定された条件情報を基に、該条件情報で定められる条件の範囲で調色可能な色について、調色可能色情報データベースを参照することにより求め、その結果を利用者端末へ送信する色情報送信手段とを具備するので、調色可能色情報データベースに格納される情報を基に、用途等により制限を加えるための条件情報を受信することで、条件情報の制限内で調色可能な色についての情報を利用者へ提供することができる。これにより、利用者が調色不可能な色を指定して調色を発注するという、調色の発注側、受注側双方の無駄な労力を削減する効果を得ることができる。
【００８４】
また、本発明における色指定サーバにおいては、上記調色可能な色を求めるために必要となる情報は、少なくとも樹脂の種類と、染顔料の種類と、それらを混合する割合であるので、樹脂や染顔料等の条件情報を受信することで、樹脂において調色可能な色についての情報を利用者へ提供することができる。これにより、利用者は、普段使用している樹脂で調色可能な色の情報を得ることができる。また、利用者が調色不可能な色の樹脂を発注するという、調色の発注側、受注側双方の無駄な労力を削減する効果を得ることができる。
【００８５】
また、本発明における色指定サーバにおいては、上記色情報送信手段は、調色可能な色を基に調色可能な色の領域である色域ゾーンを色空間内に提示し、該色域ゾーン内において色指定可能な色指定画面を表示するための情報を利用者端末へ送信するので、視覚的に簡便に調色可能な色の範囲を利用者へ知らせることができる。これにより、色空間の中のどこまでが調色可能なのか視覚的に把握することができる。
【００８６】
また、本発明における色指定サーバにおいては、上記調色可能色情報データベースは、樹脂と染顔料の組み合わせによって定めた複数の基本色についての基本色情報を更に格納し、上記色情報送信手段は、条件情報で定められる条件の範囲で基本色により調色可能な色の領域である色域ゾーンについて、調色可能色情報データベースを参照することにより求め、その結果を利用者端末へ送信するので、複数の基本色を組み合わせて配合することで種々の色を調色する手法を使っている場合に、調色可能な色の情報をより正確に求めることができる。これにより、基本色を基に調色する手法における、基本色情報を利用して、色域ゾーンを求めることができる。
【００８７】
また、本発明における色指定サーバにおいては、上記調色可能色情報データベースは、色見本の色についての色見本情報を更に格納し、上記色情報送信手段は、条件情報で定められる条件の範囲で調色可能な色見本について、調色可能色情報データベースを参照することにより求め、その結果を利用者端末へ送信するので、実際に樹脂による色サンプルを用意されている色見本から簡便に色を選択できる。これにより、既存のサンプルとして用意した色見本の配合情報等をそのまま用いればよく、新たに調色を行うコストを削減できる。
【００８８】
また、本発明における色指定サーバにおいては、調色可能な色の中より指定された色に関する色情報を受信する色情報受信手段と、受信した該色情報を基に樹脂、染顔料の配合比率を計算する配合計算手段と、配合計算手段が出力する配合結果情報を利用者端末へ送信する配合結果送信手段とを更に具備するので、利用者へ所望の色の樹脂における、配合比率情報や配合結果情報を知らせることができる。これにより、樹脂や染顔料の配合の結果判明する、コスト情報、性能情報、安全性情報を合せて知らせることができ、利用者は総合的な判断を行うことができる。
【００８９】
また、本発明における色指定サーバにおいては、着色対象となる物品に関する用途情報を利用者端末より受信する用途情報受信手段を更に具備し、上記条件指定処理手段は、用途情報により樹脂、染顔料の種類を限定した条件指定画面を利用者端末へ送信するので、利用者は、予め限定された樹脂、染顔料のなかより簡便に選択できる。さらには、用途に応じた種々の条件も設定可能である。これにより、用途別の条件設定が可能であり、多品種、多用途な樹脂における、各々に特有の条件などを考慮した樹脂の選択を、利用者は簡便に行うことができる。
【００９０】
また、本発明における色指定サーバにおいては、色指定サーバの利用者を特定する利用者ＩＤに関連付けて、該利用者における着色対象となる物品に関する用途情報を含む利用者情報を格納する利用者情報データベースを更に具備し、利用者が特定できた場合、上記条件指定処理手段は、利用者情報データベースより参照する該利用者の用途情報を基に樹脂、染顔料の種類を限定した条件指定画面を利用者端末へ送信するので、利用者の属する業界や、過去の注文等を参考に、該利用者に関係する樹脂や染顔料等の情報のみを表示し、条件の設定を促すことができる。これにより、利用者毎に選択できる条件の種類を調整できる。
【００９１】
また、本発明における色指定サーバにおいては、上記利用者情報データベースより参照する該利用者の用途の範囲で、用途を指定する手段を更に含む条件指定画面を利用者端末へ送信するので、利用者は、条件指定画面に表示される、自身に関係する樹脂や染顔料等の条件を更に限定することができる。これにより、多数の種類の樹脂をある程度絞り込むことができ、利用者にとって、樹脂の選択を行いやすくなる。また、法的規制や、規格等で使用してはいけない樹脂を間違って使ってしまうミスも防ぐことができる効果が得られる。
【００９２】
また、本発明における色指定サーバにおいては、上記色指定画面において、実際の用途に即した仮想物を２次元もしくは３次元で表示し、調色可能な色より指定した色を該仮想物に着色し、色の確認を促す仮想物着色処理手段を更に具備するので、最終的に製品化された商品をイメージした色の指定を行うことができる。これにより、より正確な色の指定を利用者へ促すことができる。
【００９３】
また、本発明における色指定サーバにおいては、上記配合計算手段が出力する配合結果情報により一意に決まる樹脂や染顔料の情報を基に、コストを計算するコスト計算手段を更に具備し、上記配合結果送信手段は、配合結果情報にコスト情報を含めて送信するので、利用者は、樹脂の色指定と同時にコスト情報を得ることができる。これにより、コスト情報を考慮した色の指定を利用者へ促すことができる。
【００９４】
また、本発明における色指定受発注システムにおいては、色指定サーバは、条件指定画面にて指定された条件情報を基に、該条件情報で定められる条件の範囲で調色可能な色を求め、その結果を利用者端末へ送信する色情報送信手段と、調色可能な色の中より色および該色の製品が指定された場合、利用者端末より該色および該製品を特定する指定製品情報ならびに発注情報を受信する受信手段と、受信した指定製品情報ならびに発注情報を受注システムへ送信する発注手段とを具備し、受注システムは、色指定サーバより受信した発注情報を基に、受注処理を行う受注手段を具備するので、色指定サーバにて指定した色および製品について発注処理を行い、受注システムにて該製品の受注処理を行うことができる。これにより、精度のよい色指定を行った製品の発注情報をネットワーク経由で受信し、該発注情報を基に受注処理を自動で行うことができる。
【００９５】
また、本発明における色指定受発注システムにおいては、製品の在庫数を管理する物流システムを更に具備し、色指定サーバは、物流システムより指定製品情報に対応する製品の在庫情報を取得し、該製品が発注可能であるかを判断する在庫確認手段と、該判断結果を利用者端末へ送信する送信手段とを更に具備するので、物流システムの在庫情報を反映でき、発注後に在庫が無いことが判明する等の、無駄な発注が発生することを防ぐことができる。これにより、製品別の発注数と在庫数のミスマッチを監視することができ、発注の効率化はもとより、在庫の効率化も行うことができる。
【００９６】
また、本発明における色指定受発注システムにおいては、製品のコストに関する情報を管理する経理システムを更に具備し、色指定サーバは、経理システムより指定製品情報で特定される製品に用いる材料の時価情報を取得し、時価を反映した製品の価格を利用者端末へ提示する価格提示手段を更に具備するので、各顧客との契約状況などを反映した時価を用いた製品価格を利用者端末へ提示することができる。これにより、顧客ごとにより正確な製品価格を提示することができる。また、特定の顧客へサービス価格を提示するなどもできる。
【００９７】
また、本発明における色指定受発注システムにおいては、受注システムから受注情報を受信し、該受注情報を基に製品を製造する製造システムを更に具備するので、利用者端末からの色の指定を含む製品の受注から、製造システムへの該製品の製造指示までのサービスを提供することができる。これにより、製品の色指定後の受注から製造を開始するまでの時間を短縮し、納期を早めることができる。
【図面の簡単な説明】
【図１】  本発明の一実施形態における色指定サーバによる色指定システムおよび、それを利用した受注システムの概略構成を示すブロック図である。
【図２】  本発明の一実施例における色指定サーバ１１の概略構成を示すブロック図である。
【図３】  本発明の一実施形態における色指定サーバ１１の動作を示すフロー図である。
【図４】  本発明の一実施形態における色指定サーバ１１が利用者端末１３へ表示させるログイン画面例を示す図である。
【図５】  本発明の一実施形態における色指定サーバ１１が利用者端末１３へ表示させる色指定画面例を示す図である。
【図６】  本発明の一実施形態における色指定サーバ１１が利用者端末１３へ表示させる条件指定画面例を示す図である。
【図７】  本発明の一実施形態における色指定サーバ１１が利用者端末１３へ表示させる仮想物選択画面例を示す図である。
【図８】  本発明の一実施形態における色指定サーバ１１が利用者端末１３へ表示させる選択色確認画面例を示す図である。
【図９】  本発明の一実施形態における色指定サーバ１１が利用者端末１３へ表示させる配合結果画面例を示す図である。
【図１０】  本発明の一実施形態におけるデータベース１０２の構成を示す図である。
【図１１】  本発明の一実施形態における色指定受発注システムの概略構成を示す図である。
【図１２】  本発明の一実施形態における色指定サーバ１１’の内部構成を示すブロック図である。
【図１３】  本発明の一実施形態における受注システム１４ａの内部構成例を示すブロック図である。
【図１４】  本発明の一実施形態である色指定受発注システム１０の動作を示すフロー図である。
【符号の説明】
１１      色指定サーバ
１２      ネットワーク
１３      端末１、端末２、端末３、…（利用者端末）
１４      処理システム群
１０１    制御部
１０２    データベース
１０２ａ  調色可能色情報データベース
１０２ｂ  利用者情報データベース
１０３    処理プログラム部
１０４    条件指定処理部
１０５    色情報送信処理部
１０６    色情報受信処理部
１０７    配合計算処理部
１０８    配合結果送信処理部
１０９    用途情報受信処理部
１１０    仮想物着色処理部
１１１    コスト計算処理部
１１２    送受信処理部
１１３    発注処理部
１１４    在庫確認処理部
１３１    制御部
１３２    データベース
１３２ａ  受発注情報データベース
１３２ｂ  生産情報データベース
１３３    受注処理部
１３４    製品発注処理部
【図１】
0003998964.tif 000002
【図２】
0003998964.tif 000003
【図３】
0003998964.tif 000004
【図４】
0003998964.tif 000005
【図５】
0003998964.tif 000006
【図６】
0003998964.tif 000007
【図７】
0003998964.tif 000008
【図８】
0003998964.tif 000009
【図９】
0003998964.tif 000010
【図１０】
0003998964.tif 000011
【図１１】
0003998964.tif 000012
【図１２】
0003998964.tif 000013
【図１３】
0003998964.tif 000014
【図１４】
0003998964.tif 000015